(57)【要約】【課題】作業員が両足で安定した「立ち姿勢」のままハンドルバーのロック解除操作を行うことができるハンドガイド式の振動ローラを提供する。【解決手段】使用位置Ｄ及び収納位置Ｕにおいてそれぞれハンドルバー１８の姿勢をロックすることができる手動ラッチ式ストッパー２０が、ロックピン２３と、ロックピン２３を付勢するラッチスプリング２４と、ハンドルバー１８のロックを解除するための操作グリップ２７と、突出状態のロックピン２３の先端部と係合してハンドルバー１８の回動を規制する固定ストッパー部材２５とを有し、操作グリップ２７が、ハンドルバー１８を枢支する水平軸１７よりも上方に配置され、かつ、ハンドルバー１８が使用位置Ｄ、及び、収納位置Ｕのいずれの位置にある場合でも、上方側へ引っ張ることによってハンドルバー１８のロックを解除できるように構成した。【選択図】図１
2014163087.tif 000002
【特許請求の範囲】
【請求項１】
操作ハンドルが、ハンドルバーを介して機体フレームの後方側に取り付けられ、ハンドルバーが、機体フレームの後方側下部において保持される水平軸を介して機体フレームに枢着され、ハンドルバーの先端側が上下方向へ回動可能なように構成されてなる振動ローラにおいて、
ハンドルバーが機体フレームの後方側下部から後方側斜め上方へ向かって突出する姿勢となる使用位置、及び、ハンドルバーが水平軸から上方へ起立した姿勢となる収納位置において、それぞれハンドルバーの姿勢をロックすることができる手動ラッチ式ストッパーが、ハンドルバーを枢支する水平軸よりも上方に配置され、
手動ラッチ式ストッパーが、ロックピンと、ロックピンの先端部が水平軸側へ向かって下方へ突出するようにロックピンを付勢するラッチスプリングと、ハンドルバーのロックを解除するための操作グリップと、突出状態のロックピンの先端部と係合してハンドルバーの回動を規制する固定ストッパー部材とを有し、
操作グリップが、ハンドルバーを枢支する水平軸よりも上方に配置され、かつ、ハンドルバーが使用位置、及び、収納位置のいずれの位置にある場合でも、上方側へ引っ張ることによってハンドルバーのロックを解除できるように構成されていることを特徴とする振動ローラ。
【請求項２】
固定ストッパー部材が、水平軸の上方において固定されており、水平軸と同心的な上向きの円弧状面と、円弧状面の機体前方側に形成された前側端面と、円弧状面の機体後方側に形成された後側端面とを有し、
ハンドルバーが使用位置にあり、かつ、ロックピンの先端部が突出状態にあるとき、固定ストッパー部材の後側端面が、ロックピンの先端部の機体前方側であって、ハンドルバーを上方側へ回動させようとするときに、ロックピンと係合して干渉する位置に配置され、ハンドルバーが上方側へ回動することを規制するように構成され、
ハンドルバーが収納位置にあり、かつ、ロックピンの先端部が突出状態にあるとき、固定ストッパー部材の前側端面が、ロックピンの先端部の機体後方側であって、ハンドルバーを下方側へ回動させようとするときに、ロックピンと係合して干渉する位置に配置され、ハンドルバーが下方側へ回動することを規制するように構成されていることを特徴とする、請求項１に記載の振動ローラ。
【請求項３】
固定ストッパー部材が、水平軸の上方において固定されており、水平軸と同心的な上向きの円弧状面を有し、
ハンドルバーが使用位置にあるとき、ロックピンの先端部を受け入れてハンドルバーの姿勢をロックする後方側ロック孔、及び、ハンドルバーが収納位置にあるとき、ロックピンの先端部を受け入れてハンドルバーの姿勢をロックする前方側ロック孔が、円弧状面にそれぞれ形成されていることを特徴とする、請求項１に記載の振動ローラ。
【発明の詳細な説明】
【技術分野】
【０００１】
本発明は、振動ローラに関し、特にハンドガイド式の振動ローラに関する。
【背景技術】
【０００２】
ハンドガイド式の振動ローラとして、例えば、特開２００５−３０７４７５号公報に記載されているように、機体フレームの底部に、地盤表面の締め固め作業に用いられる輾圧用ローラドラムを備え、動力装置（ガソリンエンジンなどの原動機、油圧ポンプ、油圧モータ等）、及び、起振機を機体フレーム上に搭載し、操作ハンドルを支持するハンドルバーを、機体フレームの後方側下部から後方側斜め上方へ向かって突出するように配置し、作業員が機体後方側を歩きながら、機体の前後進、舵取り、停止等の各操作を行えるようにした振動ローラが知られている。
【０００３】
この種の振動ローラのハンドルバーは、基端部が機体フレーム後方側下部に対して枢着され、先端側が上下方向へ回動（起伏）可能なように構成されており、運転時には、ハンドルバーを機体フレームの後方側斜め上方へ向かって延在させた「使用位置」に保持し、保管時や運搬車両への積載時には、ハンドルバーを枢着点から上方へ直立（起立）させた「収納位置」に保持させることができるようになっている。
【０００４】
尚、ハンドルバーを「使用位置」或いは「収納位置」に保持させるための手段として、一般に、手動ラッチ式ストッパー（シリンダ内に保持され、ラッチスプリングによって先端部がシリンダから突出するように付勢されたロックピンと、ハンドルバーが「使用位置」にあるときにロックピンの先端が貫入するロック孔と、ハンドルバーが「収納位置」にあるときにロックピンの先端が貫入するロック孔と、ロック孔内に貫入しているロックピンの先端部を引き出してロックを解除するための操作グリップとによって構成される）が配置されていることが多い。
【先行技術文献】
【特許文献】
【０００５】
【特許文献１】特開２００５−３０７４７５号公報
【発明の概要】
【発明が解決しようとする課題】
【０００６】
従来の振動ローラにおいて、ハンドルバーを「使用位置」或いは「収納位置」に保持させるための手動ラッチ式ストッパーは、ロックを解除するための操作グリップが、ハンドルバーの基端部の枢着点の近傍位置において、機体フレームの側方へ向かって水平方向へ引っ張るように構成されているが、振動ローラにおけるハンドルバーの枢着点は、殆どの場合、低い位置に設定されているため、作業員は、ハンドルバーのロック解除操作を実施する際に、低くかがみ込む必要があり、不安定な姿勢を強いられることになり、その結果、作業員の転倒事故の原因にもなりかねないという不都合が指摘されている。
【０００７】
本発明は、上記のような従来技術における課題を解決しようとするものであって、作業員が両足で安定した「立ち姿勢」のままハンドルバーのロック解除操作を行うことができるハンドガイド式の振動ローラを提供することを目的とする。
【課題を解決するための手段】
【０００８】
本発明に係る振動ローラは、操作ハンドルが、ハンドルバーを介して機体フレームの後方側に取り付けられ、ハンドルバーが、機体フレームの後方側下部において保持される水平軸を介して機体フレームに枢着され、ハンドルバーの先端側が上下方向へ回動可能なように構成され、ハンドルバーが機体フレームの後方側下部から後方側斜め上方へ向かって突出する姿勢となる使用位置、及び、ハンドルバーが水平軸から上方へ起立した姿勢となる収納位置において、それぞれハンドルバーの姿勢をロックすることができる手動ラッチ式ストッパーが、ハンドルバーを枢支する水平軸よりも上方に配置され、手動ラッチ式ストッパーが、ロックピンと、ロックピンの先端部が水平軸側へ向かって下方へ突出するようにロックピンを付勢するラッチスプリングと、ハンドルバーのロックを解除するための操作グリップと、突出状態のロックピンの先端部と係合してハンドルバーの回動を規制する固定ストッパー部材とを有し、操作グリップが、ハンドルバーを枢支する水平軸よりも上方に配置され、かつ、ハンドルバーが使用位置、及び、収納位置のいずれの位置にある場合でも、上方側へ引っ張ることによってハンドルバーのロックを解除できるように構成されていることを特徴としている。
【０００９】
尚、固定ストッパー部材は、水平軸の上方において固定されており、水平軸と同心的な上向きの円弧状面と、円弧状面の機体前方側に形成された前側端面と、円弧状面の機体後方側に形成された後側端面とを有し、ハンドルバーが使用位置にあり、かつ、ロックピンの先端部が突出状態にあるとき、固定ストッパー部材の後側端面が、「ロックピンの先端部の機体前方側であって、ハンドルバーを上方側へ回動させようとするときに、ロックピンと係合して干渉する位置」に配置され、ハンドルバーが上方側へ回動することを規制するように構成され、ハンドルバーが収納位置にあり、かつ、ロックピンの先端部が突出状態にあるとき、固定ストッパー部材の前側端面が、「ロックピンの先端部の機体後方側であって、ハンドルバーを下方側へ回動させようとするときに、ロックピンと係合して干渉する位置」に配置され、ハンドルバーが下方側へ回動することを規制するように構成されていることが好ましい。
【００１０】
尚、固定ストッパー部材は、ハンドルバーが使用位置にあるとき、ロックピンの先端部を受け入れてハンドルバーの姿勢をロックする後方側ロック孔、及び、ハンドルバーが収納位置にあるとき、ロックピンの先端部を受け入れてハンドルバーの姿勢をロックする前方側ロック孔が、円弧状面にそれぞれ形成されるように構成してもよい。
【発明の効果】
【００１１】
本発明に係る振動ローラは、手動ラッチ式ストッパーによるハンドルバーのロックを解除するための操作グリップが、ハンドルバーを枢支する水平軸よりも上方に配置され、かつ、ハンドルバーが使用位置、及び、収納位置のいずれの位置にある場合でも、上方側へ引っ張ることによってロックを解除できるように構成されているため、作業員は、ハンドルバーの先端部に取り付けられている操作ハンドルの近傍において安定した「立ち姿勢」のまま、ハンドルバーの上方から手を伸ばして操作グリップを掴み、ロック解除操作を行うことができ、作業員の転倒事故等を好適に回避することができる。
【図面の簡単な説明】
【００１２】
【図１】図１は、本発明の第一実施形態に係る振動ローラの構成を模式的に示す側面図である。
【図２】図２は、図１に示す使用位置Ｄにおいてハンドルバー１８がロックされている状態の手動ラッチ式ストッパー２０の部分拡大断面図である。
【図３】図３は、図１に示す収納位置Ｕにおいてハンドルバー１８がロックされている状態の手動ラッチ式ストッパー２０の部分拡大断面図である。
【図４】図４は、手動ラッチ式ストッパー２０によるロックが解除され、ハンドルバー１８が回動動作中にある状態を示す図である。
【発明を実施するための形態】
【００１３】
以下、本発明に係る振動ローラの実施形態について説明する。図１は、本発明の第一実施形態に係る振動ローラの構成を模式的に示す側面図である。この振動ローラは、道路その他の地盤表面の締め固め作業に用いられるものであり、機体フレーム１０に、動力装置（原動機１１、油圧ポンプ１２、及び、走行用油圧モータ１３，１３）、起振機１４、及び、燃料タンク１５が搭載され、また、機体フレーム１０の後方（図１において左側）には、ハンドルバー１８を介して操作ハンドル３０が取り付けられている。
【００１４】
ハンドルバー１８は、基端部が機体フレーム１０の後方側下部１６に対して枢着されており、先端側（及び、先端部に取り付けられている操作ハンドル３０）が、上下方向へ回動可能（起伏可能）なように構成されている。より詳細には、機体フレーム１０の後方側下部１６には、水平軸１７を保持する一対のブラケット１９が機体フレーム１０の後方へ向かって突出するように取り付けられており、ハンドルバー１８の基端部は、この水平軸１７によって枢支されている。
【００１５】
水平軸１７によって枢支されるハンドルバー１８の回動は、図１において実線で示す位置（使用位置Ｄ）（ハンドルバー１８が、機体フレーム１０の後方側下部１６から後方側斜め上方へ向かって突出する姿勢となる位置）から、破線で示す位置（収納位置Ｕ）（ハンドルバー１８が、水平軸１７から上方へ直立（起立）した姿勢となる位置）までの範囲（回動許容範囲）内で許容され、これらの位置を超える回動は、ブラケット１９に形成されている一対の突起（図示せず）によって規制されるようになっている。
【００１６】
また、ハンドルバー１８の基端部とブラケット１９には、ハンドルバー１８の姿勢を、使用位置Ｄ、及び、収納位置Ｕにおいてロックすることができる手動ラッチ式ストッパー２０が配置されている。この手動ラッチ式ストッパー２０は、図２に示すように、シリンダ２２と、ロックピン２３と、ラッチスプリング２４と、操作グリップ２７と、固定ストッパー部材２５とによって構成されている。
【００１７】
より詳細には、シリンダ２２は、軸心が水平軸１７と直交する向きで、ハンドルバー１８の基端部に対して溶接されたクロスビーム２１を介して、水平軸１７よりも上方の位置に固定されている。ロックピン２３は、シリンダ２２内において軸方向へ摺動可能なように保持されている。ラッチスプリング２４は、シリンダ２２内に保持され、ハンドルバー１８が使用位置Ｄ、及び、収納位置Ｕのいずれの位置にある場合でも、ロックピン２３の先端部を、シリンダ２２の先端から下方側（水平軸１７側）へ向かって突出するように付勢している。操作グリップ２７は、シリンダ２２の反対側（ロックピン２３の突出方向とは反対側）に配置され、ハンドルバー１８が使用位置Ｄ、及び、収納位置Ｕのいずれの位置にある場合でも、ラッチスプリング２４の付勢力に抗して上方側（ロックピン２３の突出方向の反対側）へ引っ張ることにより、ロックピン２３をシリンダ２２内に収容し、ロックピン２３の先端部がシリンダ２２の先端から突出しない状態とすることができるようになっている。
【００１８】
固定ストッパー部材２５は、図２に示すように、ブラケット１９における水平軸１７の上方において固定されており、水平軸１７と同心的な上向きの円弧状面２５ｃを有している。また、円弧状面２５ｃの前方側（機体フレーム１０における前方側）には、前側端面２５ａが形成され、後方側（機体フレーム１０における後方側）には、後側端面２５ｂが形成されている。
【００１９】
ハンドルバー１８が図２に示す位置（図１において実線で示す使用位置Ｄ）にあり、かつ、ロックピン２３の先端部が突出状態にあるとき（操作グリップ２７が引っ張られていないとき）、固定ストッパー部材２５の後側端面２５ｂは、ロックピン２３の先端部の前方側に位置し（ハンドルバー１８を上方側へ（図１において破線で示す収納位置Ｕへ向かって）回動させようとするときに、ロックピン２３と係合して干渉する位置に配置され）、ハンドルバー１８が上方側へ回動することを規制するように構成されている。ハンドルバー１８は、ブラケット１９に形成されている突起（図示せず）により、図２に示す位置（図１において実線で示す使用位置Ｄ）よりも下方側へは回動しないように構成されているため、ハンドルバー１８が図２に示す位置（図１において実線で示す使用位置Ｄ）にあり、かつ、ロックピン２３の先端部が突出状態にあるとき、ハンドルバー１８の姿勢は、使用位置Ｄにおいてロックされることになる。
【００２０】
一方、ハンドルバー１８が図３に示す位置（図１において破線で示す収納位置Ｕ）にあり、かつ、ロックピン２３の先端部が突出状態にあるとき（操作グリップ２７が引っ張られていないとき）、固定ストッパー部材２５の前側端面２５ａは、ロックピン２３の先端部の後方側に位置し（ハンドルバー１８を下方側へ（図１において実線で示す使用位置Ｄへ向かって）回動させようとするときに、ロックピン２３と係合して干渉する位置に配置され）、ハンドルバー１８が下方側へ（図１において実線で示す使用位置Ｄへ向かって）回動することを規制するように構成されている。ハンドルバー１８は、ブラケット１９に形成されている突起（図示せず）により、図３に示す位置（図１において破線で示す収納位置Ｕ）よりも機体前方側へは回動しないように構成されているため、ハンドルバー１８が図３に示す位置（図１において破線で示す収納位置Ｕ）にあり、かつ、ロックピン２３の先端部が突出状態にあるとき、ハンドルバー１８の姿勢は、収納位置Ｕにおいてロックされることになる。
【００２１】
そして、操作グリップ２７を、ラッチスプリング２４の付勢力に抗して上方側（ロックピン２３の突出方向とは反対の方向）へ引っ張ると、ロックピン２３がシリンダ２２内に収容され、ロックピン２３の先端部が、固定ストッパー部材２５の前側端面２５ａ、及び、後側端面２５ｂのいずれとも干渉しない状態となり、その結果、手動ラッチ式ストッパー２０によるロックが解除され、回動許容範囲内におけるハンドルバー１８の回動が可能となる。即ち、ハンドルバー１８を、図２に示す位置（図１において実線で示す使用位置Ｄ）から、図３に示す位置（図１において破線で示す収納位置Ｕ）へ向かって、或いは、その逆方向へ回動させることが可能となる。
【００２２】
尚、操作グリップ２７を上方側へ引っ張ることによってロックを解除し、ハンドルバー１８を、使用位置Ｄから収納位置Ｕへ向かって回動させるとき、ロックピン２３の先端部が固定ストッパー部材２５の後側端面２５ｂ側の上縁エッジを乗り越えたら、操作グリップ２７から手を離しても、収納位置Ｕに達するまでは、図４に示すように、ロックピン２３の先端面が、固定ストッパー部材２５の円弧状面２５ｃ上を摺動し、ロック状態とはならずにハンドルバー１８を回動させることができ、ロックピン２３の先端部が前側端面２５ａの上縁エッジを越えた時点で、ロックピン２３がラッチスプリング２４の付勢力により突出状態となり、ハンドルバー１８は、収納位置Ｕにおいてロックされることになる。
【００２３】
同様に、ハンドルバー１８を収納位置Ｕから使用位置Ｄへ向かって回動させるとき、ロックピン２３の先端部が固定ストッパー部材２５の前側端面２５ａ側の上縁エッジを乗り越えたら、操作グリップ２７から手を離しても、使用位置Ｄに達するまでは、ロックピン２３の先端面が固定ストッパー部材２５の円弧状面２５ｃ上を摺動し、ロック状態とはならずにハンドルバー１８を回動させることができ、ロックピン２３の先端部が後側端面２５ｂの上縁エッジを越えた時点で、ロックピン２３がラッチスプリング２４の付勢力により突出状態となり、ハンドルバー１８は、使用位置Ｄにおいてロックされることになる。
【００２４】
尚、固定ストッパー部材２５の前側端面２５ａ、或いは、後側端面２５ｂに対してロックピン２３の先端部が接触するハンドルバー１８の角度位置と、ブラケット１９に設けられている一対の突起（ハンドルバー１８の回動許容範囲を規定する突起）（図示せず）に対してハンドルバー１８の基端部が接触する限界角度位置との間に、僅かな遊び角度が与えられるように、ロックピン２３との関係において、固定ストッパー部材２５の寸法及び配設位置を設定することが好ましい。
【００２５】
本実施形態における振動ローラは、以上に説明したように、手動ラッチ式ストッパー２０によるハンドルバー１８のロックを解除するための操作グリップ２７が、ハンドルバー１８を枢支する水平軸１７よりも上方に配置され、かつ、ハンドルバー１８が使用位置Ｄ、及び、収納位置Ｕのいずれの位置にある場合でも、上方側（斜め上方）へ引っ張ることによってロックを解除できるように構成されているため、作業員は、ハンドルバー１８の先端部に取り付けられている操作ハンドル３０の近傍において安定した立ち姿勢のまま、ハンドルバー１８の上方から手を伸ばして操作グリップ２７を掴み、ロック解除操作を行うことができる。
【００２６】
尚、本実施形態においては、ハンドルバー１８の回動を収納位置Ｕと使用位置Ｄの二箇所でロックすることができる振動ローラについて説明したが、固定ストッパー部材２５の円弧状面２５ｃにおけるいずれかの位置に、ロックピン２３の先端部を受け入れる中間ロック孔を穿孔し、ハンドルバー１８を、使用位置Ｄ及び収納位置Ｕ以外の位置（例えば、図１において実線で示す使用位置Ｄよりも若干高めの位置）においてロックできるようにして、操作する作業員の身長に応じてハンドルバー１８先端部の操作ハンドル３０の高さ位置を変更できるようにしてもよい。
【００２７】
また、固定ストッパー部材２５を、図２に示すものよりも大きく形成し、使用位置Ｄにおいてロックピン２３の先端部を受け入れてロックする後方側ロック孔、及び、収納位置Ｕにおいてロックピン２３の先端部を受け入れてロックする前方側ロック孔を、円弧状面２５ｃにそれぞれ形成するようにしてもよい。
【符号の説明】
【００２８】
１０：機体フレーム、
１１：原動機、
１２：油圧ポンプ、
１３：走行用油圧モータ、
１４：起振機、
１５：燃料タンク、
１６：後方側下部、
１７：水平軸、
１８：ハンドルバー、
１９：ブラケット、
２０：手動ラッチ式ストッパー、
２１：クロスビーム、
２２：シリンダ、
２３：ロックピン、
２４：ラッチスプリング、
２５：固定ストッパー部材、
２５ａ：前側端面、
２５ｂ：後側端面、
２５ｃ：円弧状面、
２７：操作グリップ、
３０：操作ハンドル、
Ｄ：使用位置、
Ｕ：収納位置
【図１】
2014163087.tif 000003
【図２】
2014163087.tif 000004
【図３】
2014163087.tif 000005
【図４】
2014163087.tif 000006